【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
互いに架橋しかつ中空構造体を形成する複数の第１のポリマーストランドと、
互いに架橋しかつ第１のポリマーストランドの少なくとも１つに共有結合により連結した複数の第２のポリマーストランドと、
を含むナノ多孔性ポリマー。
【請求項２】
複数の第１のポリマーストランドが芳香族部分を含む請求項１に記載のナノ多孔性ポリマー。
【請求項３】
複数の第１のポリマーストランドがポリ（アリーレンエーテル）を含む請求項１に記載のナノ多孔性ポリマー。
【請求項４】
ポリ（アリーレンエーテル）がジエノフィルを含む請求項３に記載のナノ多孔性ポリマー。
【請求項５】
ポリ（アリーレンエーテル）がジエンを含む請求項３に記載のナノ多孔性ポリマー。
【請求項６】
第１のポリマーストランドの少なくとも１つが、第１のポリマーストランドの別の少なくとも１つと環状構造により架橋している請求項１に記載のナノ多孔性ポリマー。
【請求項７】
中空構造体が実質的に球形である請求項１に記載のナノ多孔性ポリマー。
【請求項８】
中空構造体の内径が１０ナノメートル以下である請求項７に記載のナノ多孔性ポリマー。
【請求項９】
中空構造体の内径が３ナノメートル以下である請求項７に記載のナノ多孔性ポリマー。
【請求項１０】
複数の第１および第２のポリマーストランドがポリ（アリーレンエーテル）を含む請求項１に記載のナノ多孔性ポリマー。
【請求項１１】
第１のポリマーストランドの少なくとも１つが、第２のポリマーストランドの少なくとも１つに環状構造により連結されている請求項１に記載のナノ多孔性ポリマー。
【請求項１２】
第１のポリマーストランドの少なくとも１つが三重結合を有し、第２のポリマーストランドの少なくとも１つがジエンを有し、該三重結合を該ジエンと反応させることにより、該第１のポリマーストランドの少なくとも１つが該第２のポリマーストランドの少なくとも１つに連結されている請求項１１に記載のナノ多孔性ポリマー。
【請求項１３】
ナノ多孔性ポリマーが誘電率ｋをもち、ｋが２．５以下である請求項１に記載のナノ多孔性ポリマー。
【請求項１４】
ナノ多孔性ポリマーが誘電率ｋをもち、ｋが２．１以下である請求項１に記載のナノ多孔性ポリマー。
【請求項１５】
ナノ多孔性ポリマーがガラス転移温度Ｔｇをもち、Ｔｇが４００℃以上である請求項１に記載のナノ多孔性ポリマー。
【請求項１６】
複数の架橋された第１のポリマーストランドから製造された少なくとも１つの中空構造体を準備することと、
複数の第２のポリマーストランドを準備することと、
該少なくとも１つの中空構造体と該複数の第２のポリマーストランドとを合わせることと、
第２のポリマーストランドの少なくとも１つと第２のポリマーストランドの別の１つとを架橋させることと、
第１のポリマーストランドの少なくとも１つと第２のポリマーストランドの少なくとも１つとを共有結合により連結させることと、
を含むナノ多孔性ポリマーを生成する方法。
【請求項１７】
中空構造体が実質的に球形であり、直径が１０ナノメートル以下である請求項１６に記載の方法。
【請求項１８】
複数の第１のポリマーストランドおよび複数の第２のポリマーストランドがポリ（アリーレンエーテル）を含む請求項１６に記載の方法。
【請求項１９】
第１のポリマーストランドの少なくとも１つと第２のポリマーストランドの少なくとも１つを環状構造により連結させる請求項１６に記載の方法。
【請求項２０】
ナノ多孔性ポリマーが２．５以下の誘電率ｋをもち、ナノ多孔性ポリマーが４００℃以上のガラス転移温度Ｔｇをもつ請求項１６に記載の方法。
【請求項２１】
複数のマイクロ球と、
互いに架橋しかつ該マイクロ球の少なくとも１つに共有結合により連結した複数のポリマーストランド
を含むナノ多孔性ポリマー。
【請求項２２】
複数のミクロ球がシリカを含む請求項２１に記載のナノ多孔性ポリマー。
【請求項２３】
複数のミクロ球の濃度が約１ｍｇ/ｍＬから約１００ｍｇ/ｍＬである請求項２１に記載のナノ多孔性ポリマー。
【請求項２４】
ミクロ球の少なくとも１つが実質的に球形である請求項２１に記載のナノ多孔性ポリマー。
【請求項２５】
ミクロ球の少なくとも１つの直径が１０ナノメートル以下である請求項２４に記載のナノ多孔性ポリマー。
【請求項２６】
ミクロ球の少なくとも１つの直径が３ナノメートル以下である請求項２４に記載のナノ多孔性ポリマー。
【請求項２７】
複数のポリマーストランドがポリ（アリーレンエーテル）を含む請求項２１に記載のナノ多孔性ポリマー。
【請求項２８】
ナノ多孔性ポリマーが誘電率ｋをもち、ｋが２．５以下である請求項２１に記載のナノ多孔性ポリマー。
【請求項２９】
ナノ多孔性ポリマーが誘電率ｋをもち、ｋが２．１以下である請求項２１に記載のナノ多孔性ポリマー。
【請求項３０】
ナノ多孔性ポリマーがガラス転移温度Ｔｇをもち、Ｔｇが４００℃以上である請求項２１に記載のナノ多孔性ポリマー。
【請求項３１】
請求項２１に記載のナノ多孔性ポリマーを含むフィルム。
【請求項３２】
請求項２１または３１のいずれかに記載のナノ多孔性ポリマーを含む層状物質。
【請求項３３】
複数のミクロ球を準備すること、
複数のポリマーストランドを準備すること、
複数のミクロ球と複数のポリマーストランドを合わせること、
少なくとも１つのポリマーストランドと少なくとも１つの別のポリマーストランドを架橋させること、および
少なくとも１つのミクロ球を少なくとも１つのポリマーストランドと共有結合により連結させること、
を含むナノ多孔性ポリマーを生成する方法。
【請求項３４】
ミクロ球の少なくとも１つが実質的に球形であり、直径が１０ナノメートル以下である請求項３３に記載の方法。
【請求項３５】
複数のポリマーストランドがポリ（アリーレンエーテル）を含む請求項３３に記載の方法。
【請求項３６】
ミクロ球の少なくとも１つとポリマーストランドの少なくとも１つが環状構造により連結している請求項３３に記載の方法。
【請求項３７】
ナノ多孔性ポリマーが、２．５以下の誘電率ｋをもち、ナノ多孔性ポリマーが４００℃以上のガラス転移温度Ｔｇをもつ請求項３３に記載の方法。
【請求項３８】
相互に架橋しかつ中空構造体を形成する第１のポリマーストランド（第１のポリマーストランドの少なくとも１つが複数の熱硬化性モノマーを含む）、および
相互に架橋し少なくとも１つの第１のポリマーストランドと共有結合により連結している複数の第２のポリマーストランド
を含むナノ多孔性ポリマー。
【請求項３９】
複数の第１のポリマーストランドが芳香族部分を含む請求項３８に記載のナノ多孔性ポリマー。
【請求項４０】
複数の第１のポリマーストランドがポリ（アリーレンエーテル）を含む請求項３８に記載のナノ多孔性ポリマー。
【請求項４１】
ポリ（アリーレンエーテル）がジエノフィルを含む請求項４０に記載のナノ多孔性ポリマー。
【請求項４２】
ポリ（アリーレンエーテル）がジエンを含む請求項４０に記載のナノ多孔性ポリマー。
【請求項４３】
第１のポリマーストランドの少なくとも１つが他の第１のポリマーストランドの少なくとも１つと環状構造を介して架橋している請求項３８に記載のナノ多孔性ポリマー。
【請求項４４】
中空構造体が実質的に球形である請求項３８に記載のナノ多孔性ポリマー。
【請求項４５】
中空構造体の直径が１０ナノメーター以下である請求項４４に記載のナノ多孔性ポリマー。
【請求項４６】
中空構造体の直径が３ナノメーター以下である請求項４４に記載のナノ多孔性ポリマー。
【請求項４７】
複数の第１および第２のポリマーストランドがポリ（アリーレンエーテル）を含む請求項３８に記載のナノ多孔性ポリマー。
【請求項４８】
第１のポリマーストランドの少なくとも１つが第２のポリマーストランドの少なくとも１つと環状構造を介して連結している請求項３８に記載のナノ多孔性ポリマー。
【請求項４９】
第１のポリマーストランドの少なくとも１つが三重結合を有し、第２のポリマーストランドの少なくとも１つがジエンを有し、三重結合とジエンが反応することにより第１のポリマーストランドの少なくとも１つが第２のポリマーストランドの少なくとも１つと連結している請求項４８に記載のナノ多孔性ポリマー。
【請求項５０】
ナノ多孔性ポリマーが誘電率ｋをもち、ｋが２．５以下である請求項３８に記載のナノ多孔性ポリマー。
【請求項５１】
ナノ多孔性ポリマーが誘電率ｋをもち、ｋが２．１以下である請求項３８に記載のナノ多孔性ポリマー。
【請求項５２】
ナノ多孔性ポリマーがガラス転移温度Ｔｇを持ち、Ｔｇが４００℃以上である請求項３８に記載のナノ多孔性ポリマー。
【請求項５３】
請求項３８または５０のいずれか１項に記載のナノ多孔性ポリマーを含むフィルム。
【請求項５４】
請求項３８または５０のいずれか１項に記載のナノ多孔性ポリマーを含む層。
【請求項５５】
請求項３８または５０のいずれか１項に記載のナノ多孔性ポリマーを含む層状物質。